(57)【要約】      （修正有）【課題】両親等の保護者に抱っこされている乳幼児が病原菌やウイルス等を含む飛沫によって感染することを防止し、自分で剥ぎ取ることが困難である乳幼児飛沫防止衣を提供する。【解決手段】保護者Ｐに抱っこされている乳幼児Ｉが病原菌又はウイルスを含む飛沫によって感染することを防止する乳幼児飛沫防止衣１０であって、乳幼児飛沫防止衣１０は、前面側１０ａが、保護者Ｐ及び乳幼児Ｉを覆う形状を有し、背面側が、保護者Ｐの背中を覆う形状を有し、保護者Ｐの首が通る首開口部１２と、保護者Ｐの一方の肩乃至腕の少なくとも一部を露出する腕肩開口部１４と、保護者Ｐの股下が通る股下開口部１６と、を有する。前面側１０ａと、背面側とは、上部連結部１８と下部連結部２０とを介して着脱可能に構成されている。【選択図】図１
0003229137.tif 000002
【実用新案登録請求の範囲】
【請求項１】
保護者に抱っこされている乳幼児が病原菌又はウイルスを含む飛沫によって感染することを防止する乳幼児飛沫防止衣であって、当該乳幼児飛沫防止衣は、
前面側が、前記保護者及び前記乳幼児を覆う形状を有し、背面側が、前記保護者の背中を覆う形状を有し、
前記保護者の首が通る首開口部と、前記保護者の一方の肩乃至腕の少なくとも一部を露出する腕肩開口部と、前記保護者の股下が通る股下開口部と、を有する、
前記前面側と、前記背面側とは、上部連結部と下部連結部とを介して着脱可能に構成されている、
乳幼児飛沫防止衣。
【請求項２】
前記乳幼児飛沫防止衣は更に、
前記保護者の一方の肩に対応する位置から前方に突出する第１の芯部と、
前記他方の肩に対応する位置から前方に突出する第２の芯部と、
前記第１の芯部と前記第２の芯部とを接続する第３の芯部と、
を含む芯材を有する、請求項１に記載の乳幼児飛沫防止衣。
【請求項３】
前記上部連結部と前記下部連結部とは、マジックテープ、ボタン、リベット又はファスナーにより着脱可能に構成されている、
請求項１又は２に記載の乳幼児飛沫防止衣。
【請求項４】
前記乳幼児飛沫防止衣は、軟質ポリ塩化ビニル、ポリエチレン、ポリエチレンテレフタレート及びポリプロピレンの群から選択される１つ以上の材料から形成されている、
請求項１乃至３のいずれか一項に記載の乳幼児飛沫防止衣。
【請求項５】
前記芯材は、硬質塩化ビニル樹脂、アクリル樹脂、ポリスチレン、ポリカーボネート及びＡＳ樹脂の群から選択される１つ以上の材料から形成されている、
請求項１乃至４のいずれか一項に記載の乳幼児飛沫防止衣。
【考案の詳細な説明】
【技術分野】
【０００１】
本考案は、両親等の保護者に抱っこされている乳幼児が病原菌やウイルス等を含む飛沫によって感染することを防止する防止衣に関するものである。
【背景技術】
【０００２】
病院などの待合室や、人混みが多い場所においては、病原菌やウイルスの保有者が口から病原菌やウイルスを飛び散らかしている場合がある。そのため、乳幼児は、両親等の保護者に抱っこされて移動する際に、病原菌やウイルスを含む飛沫が乳幼児に付着することがある。
【考案の概要】
【考案が解決しようとする課題】
【０００３】
乳幼児、特に０歳から１歳６カ月までの乳幼児は、マスクを付けることを嫌がるため、保護者が無理やり乳幼児にマスクを付けた場合であっても、乳幼児は自分で剥ぎ取ってしまう。
【０００４】
そこで、本考案は、両親等の保護者に抱っこされている乳幼児が病原菌やウイルス等を含む飛沫によって感染することを防止し、自分で剥ぎ取ることが困難である乳幼児飛沫防止衣を提供することを目的としている。
【課題を解決するための手段】
【０００５】
前記目的を達成するために、本考案の乳幼児飛沫防止衣は、
保護者に抱っこされている乳幼児が病原菌又はウイルスを含む飛沫によって感染することを防止する乳幼児飛沫防止衣であって、当該乳幼児飛沫防止衣は、
前面側が、前記保護者及び前記乳幼児を覆う形状を有し、背面側が、前記保護者の背中を覆う形状を有し、
前記保護者の首が通る首開口部と、前記保護者の一方の肩乃至腕の少なくとも一部を露出する腕肩開口部と、前記保護者の股下が通る股下開口部と、を有する、
前記前面側と、前記背面側とは、上部連結部と下部連結部とを介して着脱可能に構成されていることを特徴としている。
【考案の効果】
【０００６】
本実施形態によると、両親等の保護者に抱っこされている乳幼児が病原菌やウイルス等を含む飛沫によって感染することを防止し、自分で剥ぎ取ることが困難である乳幼児飛沫防止衣を提供することができる。
【図面の簡単な説明】
【０００７】
【図１】本考案の一実施形態に係る乳幼児飛沫防止衣を身に着けた保護者を前面側から見た概略構成図である。
【図２】本考案の一実施形態に係る乳幼児飛沫防止衣を身に着けた保護者を背面側から見た概略構成図である。
【図３】本考案の一実施形態に係る乳幼児飛沫防止衣の芯材を説明するための概略構成図である。
【考案を実施するための形態】
【０００８】
以下、本考案に係る一実施形態について図面を参照して説明する。ただし、以下の実施形態に記載されている構成要素は例示であり、本考案の技術範囲をそれらのみに限定する趣旨のものではない。
【０００９】
図１に本考案の一実施形態に係る乳幼児飛沫防止衣を身に着けた保護者を前面側から見た概略構成図を示す。また、図２に、本考案の一実施形態に係る乳幼児飛沫防止衣を身に着けた保護者を背面側から見た概略構成図を示す。
【００１０】
図１に示すように、本考案に係る乳幼児飛沫防止衣１０は、前面側１０ａが、保護者Ｐ及び保護者Ｐに抱っこされている乳幼児Ｉを覆う形状を有している。また、本考案に係る乳幼児飛沫防止衣１０は、背面側１０ｂが、保護者Ｐの背中を覆う形状を有している。そのため、乳幼児飛沫防止衣１０は、保護者Ｐが身に着けた際に、横方向の幅が、保護者Ｐの肩幅程度より若干大きくなる程度に構成されており、縦方向の幅が、保護者Ｐの首から股下に達する程度に構成されている。
【００１１】
本考案に係る乳幼児飛沫防止衣１０は、保護者Ｐの首を通すための首開口部１２と、保護者Ｐの一方の肩乃至腕の少なくとも一部を露出するための腕肩開口部１４と、を有する。また、本考案に係る乳幼児飛沫防止衣１０の長さは、保護者Ｐの好ましくは股下までに設定されているため、乳幼児飛沫防止衣１０は、股下開口部１６を有する。
【００１２】
首開口部１２は、保護者Ｐの首部が通る着用口であり、通常のヒトの首回りより若干大きく構成されている。
【００１３】
腕肩開口部１４は、保護者Ｐの一方の肩乃至腕、図１に示す例では、保護者Ｐの右肩乃至右腕の少なくとも一部を露出するよう構成されている。保護者Ｐの一方の肩乃至腕を露出させることにより、乳幼児Ｉを安全に抱っこしつつ、病原菌やウイルス等を含む飛沫から乳幼児Ｉを守ることができる。また、保護者Ｐの一方の肩乃至腕が露出しているため、病院等の待合室などにおいて、保護者Ｐは診察券を出す等の手続きも容易に行うことができる。さらに、保護者Ｐの一方の肩乃至腕を露出させることにより、万一保護者Ｐが何かにつまづいて転倒した際にも、一方の手で地面に手をつきつつ、もう片方の手で乳幼児Ｉを守ることができる。
【００１４】
股下開口部１６は、保護者Ｐの腰部、臀部又は足部が通る部分であり、通常のヒトの腰回りより若干大きく構成されている。
【００１５】
また、本考案に係る乳幼児飛沫防止衣１０は、前面側と背面側とを一体的に形成してもよいが、図１及び図２に示す例では、上部連結部１８と下部連結部２０とを介して前面側と背面側とが着脱可能に構成されている。上部連結部１８及び下部連結部２０による前面側と背面側との接続方法としては、特に限定されないが、例えば、マジックテープ（登録商標）、ボタン、リベット、ファスナー等を用いた接続方法が挙げられる。
【００１６】
図３に、本考案の一実施形態に係る乳幼児飛沫防止衣の芯材を説明するための概略構成図を示す。なお、図３においては、本考案に係る芯材の配置例として、破線で示している。本考案に係る乳幼児飛沫防止衣１０は、乳幼児Ｉの頭又は胴に触れないように、前面が外側に引っ張り出されてふくらみを有する形状を有することが好ましい。具体的には、本考案に係る乳幼児飛沫防止衣１０は、芯材２２を有することが好ましい。図３に示す例では、芯材２２は、保護者Ｐの一方の肩に対応する位置から前方に突出する第１の芯部２４と、他方の肩に対応する位置から前方に突出する第２の芯部２６と、第１の芯部２４と第２の芯部２６とを接続する第３の芯部２８と、から構成されている。
【００１７】
第１の芯部２４及び第２の芯部２６の長さは、第１の芯部２４及び第２の芯部２６が保護者Ｐの肩位置から保護者Ｐが抱っこする乳幼児Ｉの位置に亘って伸びる程度の長さとすることが好ましい。
【００１８】
本考案に係る乳幼児飛沫防止衣１０の材料としては、病原菌やウイルスを含む飛沫を通過させないバリア性を有する材料であれば特に限定されないが、抱っこしている乳幼児を保護者が見えるように透明性の材料であることが好ましい。また、乳幼児Ｉに乳幼児飛沫防止衣１０が接触し得ること、乳幼児飛沫防止衣１０を身に着けている保護者Ｐの動きやすさ、コスト等の観点から、比較的安価で柔らかい材料を使用することが好ましく、具体的には、軟質ポリ塩化ビニル、ポリエチレン、ポリエチレンテレフタレート、ポリプロピレン等を使用することが好ましい。これらの材料は、１種類を単独で使用してもいいし、２種類以上を併用して使用しても良い。
【００１９】
また、本考案に係る芯材２２の材料としては、乳幼児飛沫防止衣１０を前面に引っ張り出すために比較的硬い材料を使用することが好ましく、例えば、硬質塩化ビニル樹脂、アクリル樹脂、ポリスチレン、ポリカーボネート、ＡＳ樹脂等の、比較的硬いプラスチック樹脂を使用することが好ましい。これらの材料は、１種類を単独で使用してもいいし、２種類以上を併用して使用しても良い。
【００２０】
本考案に係る乳幼児飛沫防止衣１０は、上述したように、保護者Ｐの一方の肩乃至腕の少なくとも一部を露出するよう構成されているため、乳幼児Ｉを安全に抱っこしつつ、病原菌やウイルス等を含む飛沫から乳幼児Ｉを守ることができる。また、乳幼児Ｉを抱っこしている保護者Ｐは、病院等の待合室などにおいて、診察券を出す等の手続きも容易に行うことができる。さらに、万一、保護者Ｐが何かにつまづいて転倒した際にも、一方の手で地面に手をつきつつ、もう片方の手で乳幼児Ｉを守ることができる。なお、図１に示す例では、保護者Ｐの右肩乃至腕の少なくとも一部を露出する例について示したが、本考案はこの点において限定されず、左肩乃至腕の少なくとも一部を露出する構成であっても良い。
【００２１】
また、本考案に係る乳幼児飛沫防止衣１０を保護者Ｐが独力で着用する場合、保護者Ｐは、芯材２０側を前方にして自身の首を首開口部１２に通して、上部連結部１８で前面側の上部と背面側の上部とを係止する。そして、保護者Ｐは、乳幼児飛沫防止衣１０の前面をめくった状態で乳幼児Ｉを抱っこし、片手で下部連結部２０を介して前面側の下部と背面側の下部とを係止する。
【００２２】
本考案に係る乳幼児飛沫防止衣１０は、透明な材料で構成されているため、保護者Ｐは、乳幼児Ｉを抱っこしたままで、乳幼児Ｉの様子を見ることができる。また、乳幼児飛沫防止衣１０は、病原菌やウイルスを含む飛沫を通過させないバリア性を有する材料で構成されているため、病院のの待合室や、人混みが多い場所においても、病原菌やウイルスの保有者が口から病原菌やウイルスをもらう可能性を低くすることができる。
【００２３】
また、保護者Ｐに抱っこされている乳幼児Ｉが病院で予防接種や診察を受ける場合であっても、保護者Ｐが片手で下部連結部２０を介して前面側の下部と背面側の下部との係止を解除することで、容易に乳幼児飛沫防止衣１０を脱ぐことができる。
【００２４】
さらに、本考案に係る乳幼児飛沫防止衣１０は、保護者Ｐの右肩乃至右腕の少なくとも一部を露出するよう構成されている。保護者Ｐの一方の肩乃至腕を露出させることにより、乳幼児Ｉを安全に抱っこしつつ、病原菌やウイルス等を含む飛沫から乳幼児Ｉを守ることができる。また、保護者Ｐの一方の肩乃至腕が露出しているため、病院等の待合室などにおいて、保護者Ｐは診察券を出す等の手続きも容易に行うことができる。さらに、保護者Ｐの一方の肩乃至腕を露出させることにより、万一、保護者Ｐが何かにつまづいて転倒した際にも、一方の手で地面に手をつきつつ、もう片方の手で乳幼児Ｉを守ることができる。
【符号の説明】
【００２５】
１０      乳幼児飛沫防止衣
１２      首開口部
１４      腕肩開口部
１６      股下開口部
１８      上部連結部
２０      下部連結部
２２      芯材
２４      第１の芯部
２６      第２の芯部
２８      第３の芯部
【図１】
0003229137.tif 000003
【図２】
0003229137.tif 000004
【図３】
0003229137.tif 000005
【手続補正書】
【提出日】令和2年8月27日(2020.8.27)
【手続補正１】
【補正対象書類名】実用新案登録請求の範囲
【補正対象項目名】全文
【補正方法】変更
【補正の内容】
【実用新案登録請求の範囲】
【請求項１】
保護者に抱っこされている乳幼児が病原菌又はウイルスを含む飛沫によって感染することを防止する乳幼児飛沫防止衣であって、当該乳幼児飛沫防止衣は、
前面側が、前記保護者及び前記乳幼児を覆う形状を有し、背面側が、前記保護者の背中を覆う形状を有し、
前記保護者の首が通る首開口部と、前記保護者の一方の肩乃至腕の少なくとも一部を露出する腕肩開口部と、前記保護者の股下が通る股下開口部と、を有する、
前記前面側と、前記背面側とは、上部連結部と下部連結部とを介して着脱可能に構成されている、
乳幼児飛沫防止衣。
【請求項２】
前記乳幼児飛沫防止衣は更に、
前記保護者の一方の肩に対応する位置から前方に突出する第１の芯部と、
前記他方の肩に対応する位置から前方に突出する第２の芯部と、
前記第１の芯部と前記第２の芯部とを接続する第３の芯部と、
を含む芯材を有する、請求項１に記載の乳幼児飛沫防止衣。
【請求項３】
前記上部連結部と前記下部連結部とは、面ファスナー、ボタン、リベット又はファスナーにより着脱可能に構成されている、
請求項１又は２に記載の乳幼児飛沫防止衣。
【請求項４】
前記乳幼児飛沫防止衣は、軟質ポリ塩化ビニル、ポリエチレン、ポリエチレンテレフタレート及びポリプロピレンの群から選択される１つ以上の材料から形成されている、
請求項１乃至３のいずれか一項に記載の乳幼児飛沫防止衣。
【請求項５】
前記芯材は、硬質塩化ビニル樹脂、アクリル樹脂、ポリスチレン、ポリカーボネート及びＡＳ樹脂の群から選択される１つ以上の材料から形成されている、
請求項１乃至４のいずれか一項に記載の乳幼児飛沫防止衣。